【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
（ａ）イオノマー層；及び
（ｂ）タイ層（イオノマー層及びタイ層が互いに接しラミネート成形品を形成する）、
を含む耐衝撃性及び耐引掻き性の製品に適したラミネート。
【請求項２】
イオノマー層が着色されている、請求項１記載のラミネート。
【請求項３】
タイ層が酸ポリマー、軟質イオノマー、ポリオレフィン、又はそれらのブレンドを含む、請求項１記載のラミネート。
【請求項４】
ポリオレフィンが、ポリエチレンポリマー、ポリエチレンコポリマー、ポリプロピレンポリマー、ポリプロピレンコポリマー、ポリプロピレンインパクトコポリマー、及びポリプロピレンインパクトコポリマーとエチレンプラストマーからなるブレンド及びそれらの混合物から選択される、請求項３記載のラミネート。
【請求項５】
隣接ラミネート層のメルトインデックスが互いに１乃至４ｄｇ／分 未満内にある、請求項１記載のラミネート。
【請求項６】
タイ層が酸ターポリマーとポリオレフィンのブレンドを含み、ポリオレフィンがブレンド中、ブレンドの３０重量％乃至７０重量％で存在する、請求項３記載のラミネート。
【請求項７】
タイ層がエチレンアクリル酸ターポリマーとポリプロピレンとのブレンドを含む、請求項１記載のラミネート。
【請求項８】
タイ層がエチレンアクリル酸ターポリマー、線状低密度ポリエチレン、及び高密度ポリエチレンからなるブレンドを含む、請求項１記載のラミネート。
【請求項９】
（ａ）イオノマー層とタイ層を含むラミネート（ここでイオノマー層とタイ層が互いに接しラミネートを形成する）；及び
（ｂ）複合物品を形成するためにラミネートを固定する支持体、
を含む耐衝撃性及び耐引掻き性の製品に適した複合物品。
【請求項１０】
タイ層が酸性ポリマー、軟質イオノマー、ポリオレフィン、及びそれらのブレンドを含む、請求項９記載の複合物品。
【請求項１１】
ポリオレフィンは、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択される、請求項１０記載の複合物品。
【請求項１２】
支持体は、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択されるポリオレフィンである、請求項９記載の複合物品。
【請求項１３】
隣接ラミネート層のメルトインデックスが互いに１乃至４ｄｇ／分未満内にある、請求項９記載の複合物品。
【請求項１４】
タイ層が、酸ターポリマーとポリオレフィンのブレンドを含み、ポリオレフィンがブレンド中、ブレンドの３０重量％乃至７０重量％で存在する、請求項９記載の複合物品。
【請求項１５】
タイ層がエチレンアクリル酸ターポリマーとポリエチレンとのブレンドを含む、請求項９記載の複合物品。
【請求項１６】
タイ層がエチレンアクリル酸ターポリマー、線状低密度ポリエチレン、及び高密度ポリエチレンからなるブレンドを含む、請求項９記載の複合物品。
【請求項１７】
（ａ）イオノマー層とタイ層を含むラミネート（ここでイオノマー層とタイ層が互いに接しラミネートを形成し、タイ層は酸ポリマー、軟質イオノマー、ポリオレフィン、又はそれらのブレンド）；及び
（ｂ）複合成形品を形成するためのラミネート成形品のタイ層を固定する支持体、
を含む複合物品。
【請求項１８】
イオノマー層が着色されている、請求項１７記載の複合物品。
【請求項１９】
隣接ラミネート層のメルトインデックスが互いに１乃至４ｄｇ／分未満内にある、請求項１７記載の複合物品。
【請求項２０】
隣接ラミネート層のメルトインデックスが互いに２乃至３ｄｇ／分未満内にある、請求項１９記載の複合物品。
【請求項２１】
ポリオレフィンは、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択される、請求項１７記載の複合物品。
【請求項２２】
支持体は、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択されるポリオレフィンである、請求項１７記載の複合物品。
【請求項２３】
タイ層が、酸ターポリマーとポリオレフィンのブレンドを含み、ポリオレフィンがブレンド中、ブレンドの３０重量％乃至７０重量％で存在する、請求項１７記載の複合物品。
【請求項２４】
タイ層がエチレンアクリル酸ターポリマーとポリプロピレンとのブレンドを含む、請求項１７記載の複合物品。
【請求項２５】
タイ層がエチレンアクリル酸ターポリマー、線状低密度ポリエチレン、及び高密度ポリエチレンからなるブレンドを含む、請求項１７記載の複合物品。
【請求項２６】
（ａ）ラミネートを形成すること；
（ｂ）成形品にラミネートを成形すること（ここで、ラミネートはイオノマー層とタイ層を含み、イオノマー層とタイ層が互いに接しラミネートを形成する）；及び
（ｃ）支持層をラミネートのタイ層に固定し複合成形品を形成すること、
を含む複合物品を形成する方法。
【請求項２７】
イオノマー層が第１イオノマー層と第２イオノマー層を含む、請求項２６記載の方法。
【請求項２８】
第２イオノマー層が着色されている、請求項２７記載の方法。
【請求項２９】
タイ層が酸ポリマー、軟質イオノマー、ポリオレフィン、及びそれらのブレンドを含む、請求項２６記載の方法。
【請求項３０】
ポリオレフィンは、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択される、請求項２６記載の方法。
【請求項３１】
タイ層がエチレンアクリル酸ターポリマー及びポリエチレンからなるブレンドを含む、請求項２６記載の方法。
【請求項３２】
タイ層がエチレンアクリル酸ターポリマー、線状低密度ポリエチレン、及び高密度ポリエチレンのブレンドを含む、請求項２６記載の方法。
【請求項３３】
隣接ラミネート層のメルトインデックスは互いに１乃至４ｄｇ／分未満内にある、請求項２６記載の方法。
【請求項３４】
隣接ラミネート層のメルトインデックスは互いに２乃至３ｄｇ／分未満内にある、請求項２６記載の方法。
【請求項３５】
（ａ）少なくとも２の材料層を含むラミネートを形成すること（ここで層のメルトインデックス（ＭＩ）が互いに１乃至４ｄｇ／分である）；
（ｂ）ラミネートを成形品に成形すること（ここでラミネートはイオノマー層とタイ層を有し、イオノマー層とタイ層が互いに接しラミネートを形成する）；及び
（ｃ）支持層をラミネートに固定し複合物品を形成すること、
を含む耐衝撃性及び耐引掻き性の製品に適した複合物品を形成する方法。
【請求項３６】
イオノマー層が第１イオノマー層及び第２イオノマー層を含む、請求項３５記載の方法。
【請求項３７】
タイ層が酸ポリマー、軟質イオノマー、ポリオレフィン、及びそれらのブレンドを含む、請求項３５記載の方法。
【請求項３８】
ポリオレフィンは、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択される、請求項３７記載の方法。
【請求項３９】
イオノマー層が着色されている、請求項３５記載の方法。
【請求項４０】
支持体は、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択されるポリオレフィンである、請求項３５記載の方法。
【請求項４１】
隣接ラミネート層のメルトインデックスが互いに１乃至４ｄｇ／分未満以内である、請求項３５記載の方法。
【請求項４２】
タイ層がエチレンアクリル酸ターポリマーとポリエチレンからなるブレンドを含む、請求項３５記載の方法。
【請求項４３】
タイ層がエチレンアクリル酸ターポリマーとポリプロピレンからなるブレンドを含む、請求項３５記載の方法。
【請求項４４】
タイ層は、エチレンアクリル酸ターポリマー、線状低密度ポリエチレン、及び高密度ポリエチレンのブレンドを含む、請求項３５記載の方法。
【請求項４５】
隣接ラミネート層のメルトインデックスは互いに２乃至３ｄｇ／分未満内にある、請求項３５記載の方法。
【請求項４６】
ラミネートがラミネートを熱成形することにより成形される、請求項３５記載の方法。
【請求項４７】
（ａ）少なくとも２の材料層を含むラミネートを形成すること（ここで層のメルトインデックス（ＭＩ）が互いに１乃至４ｄｇ／分である）；
（ｂ）ラミネートを成形品に成形すること（ここでラミネートは第１イオノマー層と第２イオノマー層とタイ層を有し、第２イオノマー層とタイ層が互いに接しラミネートを形成する）；及び
（ｃ）支持層をラミネートに固定し複合物品を形成すること、
を含む方法により成形された耐衝撃性及び耐引掻き性の製品に適した複合物品。
【請求項４８】
第１イオノマー層と第２イオノマー層は共押出しされる、請求項４７記載の複合物品。
【請求項４９】
タイ層が酸ターポリマー及びポリオレフィンのブレンドを含み、ポリオレフィンはブレンド中、ブレンドの３０重量％乃至７０重量％で存在する、請求項４７記載の複合物品。
【請求項５０】
第１イオノマー層がクリヤーであり第２イオノマー層が着色されている、請求項５０記載の複合物品。
【請求項５１】
タイ層が酸ポリマー、軟質イオノマー、ポリオレフィン、又はそれらのブレンドを含む、請求項４７記載の複合物品。
【請求項５２】
ポリオレフィンは、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択される、請求項５１記載の複合物品。
【請求項５３】
第１イオノマー層又は第２イオノマー層が着色されている、請求項４７記載の複合物品。
【請求項５４】
固定工程は、支持体をタイ層に射出成形することによりさらに定義される、請求項４７記載の複合物品。
【請求項５５】
支持体は、ポリエチレンポリマー、ポリエチレンコポリマー、ポリプロピレンポリマー、ポリプロピレンコポリマー、ポリプロピレンインパクトコポリマー及びポリプロピレンインパクトコポリマーとエチレンプラストマーのブレンド、及びそれらの混合物から選択されるポリオレフィンである、請求項４７記載の複合物品。
【請求項５６】
隣接ラミネート層のメルトインデックスが互いに１乃至４ｄｇ／分未満内にある、請求項４７記載の複合物品。
【請求項５７】
タイ層がエチレンアクリル酸ターポリマー及びポリエチレンからなるブレンドを含む、請求項４７記載の複合物品。
【請求項５８】
タイ層がエチレンアクリル酸ターポリマー及びポリプロピレンからなるブレンドを含む、請求項４７記載の複合物品。
【請求項５９】
タイ層がエチレンアクリル酸ターポリマー、線状低密度ポリエチレン、及び高密度ポリエチレンのブレンドを含む、請求項４７記載の複合物品。
【請求項６０】
隣接ラミネート層のメルトインデックスは互いに２乃至３ｄｇ／分未満内にある、請求項４７記載の複合物品。